(57)【特許請求の範囲】
【請求項１】
躯体開口部に固定された外枠に、第１の壁パネルを保持する内枠が取り付けられ、
第１の壁パネルの内側に、耐火性及び遮音性を有する第２の壁パネルが、前記躯体開口部に固定された鋼鉄製の取付金物によって第１の壁パネルとは独立して保持され、
第２の壁パネルは、戸境壁がＴ字状に交差する位置で当該戸境壁の両側に分割され、且つ、分割されて対向する端面間に微小な隙間が形成され、
前記戸境壁は、躯体開口部に固定された鋼鉄製の取付金物に保持されていることを特徴とする耐火壁構造。
【請求項２】
第１の壁パネルと第２の壁パネルの間にロックウールが充填されていることを特徴とする請求項１記載の耐火壁構造。
【請求項３】
請求項１または２において、戸境壁を躯体開口部に固定する取付金物は、鋼製角パイプである耐火壁構造。
【請求項４】
請求項１または２において、戸境壁を躯体開口部に固定する取付金物はチャンネル形鋼である耐火壁構造。
【請求項５】
請求項１〜４のいずれかの耐火壁構造の耐火壁に交差して設けてある戸境壁を移設または撤去することによって間取りを変更する集合住宅における間取り変更方法。
【発明の詳細な説明】
【技術分野】
【０００１】
本発明は、集合住宅において住戸の間取を変更できるようにした建物構造に関し、更に詳しくは開口部に設けた耐火壁構造に関する。
【背景技術】
【０００２】
間取の変更を想定して建設した集合住宅はＳＩ（SKELTON  & INFILL）住宅として知られており、特許文献１に記載されているように、集合住宅の躯体開口部に固定した外枠に、壁面パネルや窓、玄関ドア等を保持させたサッシ枠を組み込む構造とすることによって、レイアウトを個人の好みやライフスタイルの変化に応じて変更できるようにすることが提案されている。
【先行技術文献】
【特許文献】
【０００３】
【特許文献１】特開２００３−４１８５９号公報
【発明の概要】
【発明が解決しようとする課題】
【０００４】
しかし、従来の間取変更は、単独の住戸において変更するものであり、隣接する住戸を含めて間取の変更をすることは考えられていない。
従来のＳＩ住宅の躯体開口部に設けた壁は、通常、ケイ酸カルシウム板の壁パネルをサッシ枠に保持させ、これを躯体開口部の外枠に取り付けた耐火壁構造としてある。
開口部に設けた耐火壁は、基準に適合した耐火構造である必要があるが、壁パネルを保持しているサッシ枠やこれを取り付けている躯体開口部の外枠は、軽量化のためにアルミニウム製であるため耐火性能が十分でなく、火災発生時には、これらが短時間のうちに熱で変形して壁パネルが脱落し、壁パネルと戸境壁が分離して延焼する危険性が大きかった。
また、戸境壁の両側で壁パネルが連続しており、壁パネルを伝わって隣戸に音が漏れることがあり、遮音性に問題があった。
そこで、本発明は、開口部に設けた耐火壁の耐火性を十分なものとすると共に、遮音性を有するものとするものである。
【課題を解決するための手段】
【０００５】
本発明の耐火壁構造は、躯体開口部に固定された外枠に、第１の壁パネルを保持する内枠が取り付けられ、第１の壁パネルの内側に、耐火性及び遮音性を有する第２の壁パネルが、前記躯体開口部に固定された鋼鉄製の取付金物によって第１の壁パネルとは独立して保持され、第２の壁パネルは、戸境壁が交差する位置で当該戸境壁の両側に分割され、且つ、対向する端面間に耐火性能を落とすことなく振動を遮断する微小な隙間が形成され、前記戸境壁は、躯体開口部に固定された鋼鉄製の取付金物に保持されていることを特徴としている。
【０００６】
本発明の耐火壁構造においては、第１の壁パネルと第２の壁パネルの間にロックウールが充填されていることが望ましい。
【発明の効果】
【０００７】
本発明の耐火壁構造によれば、躯体開口部に固定されている外枠や、これに取り付けられて第１の壁パネルを保持している内枠が耐火性に乏しいアルミニウム等の材料で製作されている場合や、第１の壁パネルの耐火性が乏しい場合でも、第１の壁パネルの内側に、躯体開口部に固定された鋼鉄製の取付金物に保持された耐火性及び遮音性を有する第２の壁パネルを配置しているため、火災発生時に、外枠や内枠が熱によって短時間で軟化・変形して第１の壁パネルが脱落したり、第１の壁パネル自体が焼損した場合に、躯体開口部に固定された鋼鉄製の取付金物によって保持されている第２の壁パネルによって、火炎や煙の侵入を長時間阻止することができ、延焼の危険性を低減することができる。
【０００８】
また、躯体開口部に第１の壁パネルと第２の壁パネルを取り付けて２重壁構造としているため、断熱性や遮音性を高めることができる。さらに、第２の壁パネルは、戸境壁が交差する位置で、戸境壁の両側に分割され、且つ、分割されて対向する端面間に微小な隙間が形成されているため、戸境壁を越えて音や振動が壁パネルを伝わって伝達されることを防止することができる。
また、第１の壁パネルと第２の壁パネルの間にロックウールを充填したことにより、耐火性や断熱性、遮音性を向上させることができる。
【図面の簡単な説明】
【０００９】
【図１】本発明に係る耐火壁構造の実施例１の縦断面図。
【図２】本発明に係る耐火壁構造の実施例１の水平断面図。
【図３】本発明の耐火壁構造の工程説明図。
【図４】本発明の耐火壁構造の工程説明図。
【図５】本発明の耐火壁構造の工程説明図。
【図６】本発明の耐火壁構造の工程説明図。
【図７】本発明の耐火壁構造の実施例２の水平部分断面図。
【図８】本発明の耐火壁構造の実施例３の水平部分断面図。
【発明を実施するための形態】
【００１０】
以下、実施例１の図面に基づいて本発明を説明する。図１は、本発明に係る耐火壁構造の実施例１の縦断面図、図２は、その水平断面図であり、ＳＩ集合住宅建物躯体の開口部に適用された耐火壁構造について説明する。
これらの図に示す本発明の耐火壁構造１は、建物の躯体２の側面に形成されている開口部に適用されるものである。なお、これらの図の各部の寸法比率は、概念を説明するためのものであって正確な比率で描かれていない。
【００１１】
図１に示すように、開口部の上辺は、躯体２の梁２Ａの下面によって構成され、下辺は、躯体床面２Ｂから立ち上がっている凸壁２Ｃの上面で構成され、さらに、開口部の左右両側の２辺は、図２に示すように、躯体２の隣合う２つの支柱２Ｄで構成される。
【００１２】
これら上下左右の４辺からなる矩形状の開口部には、アルミニウム製の外枠３がアンカーＡ、及びモルタルＭで固定されている。外枠３の内側には、内枠のアルミニウム製のサッシ枠４が組み込まれ、サッシ枠４は、外枠３に対して躯体２の開口部外側から、ネジ等の固定手段によって着脱可能に固定される。
【００１３】
サッシ枠４には、第１の壁パネルとしての耐火パネル５が保持されている。この耐火パネル５はケイ酸カルシウム板である。また、このサッシ枠４には、耐火パネル５の外側に、防雨のための外装パネル６が取り付けられている。
【００１４】
一方、躯体２の開口部の内側周縁部には鋼鉄製の取付金物７が固定されている。この取付金物７は躯体２に直接固定されており、前述の耐火パネル５の内側で、第２の壁パネルである耐火パネル８を保持している。
【００１５】
本実施例では、耐火パネル８は、前述の耐火パネル５と同様なケイ酸カルシウム板である。また、耐火パネル５と耐火パネル８の間には空間が形成されていて、この空間には、耐火性や断熱性、ならびに遮音性を高めるために、ロックウール９が充填されている。
【００１６】
耐火パネル８の内面と躯体２の内側の壁面には、硬質ウレタン樹脂層１０が吹き付けてある。また、躯体床面２Ｂと躯体天井面２Ｅ間には、複数の内装下地材１１が縦向き姿勢で、前記硬質ウレタン樹脂層１０の内面に沿って水平方向に等間隔で設けられている。
これらの内装下地材１１には内装ボード１２が取り付けられている。前記内装ボード１２は、躯体天井面２Ｅの下方に設けられている室内天井１３と、躯体床面２Ｂの上方に設けられている室内床Ｆとの間で室内の壁面を構成している。
なお、本実施例では、内装ボード１２を石膏ボードとすることによって耐火性や断熱性、遮音性を高めている。
【００１７】
図２に示すように、躯体２の内部に形成されている室内空間は、耐火パネル８とＴ字状に交差して配置される戸境壁１４によって区画されている。戸境壁１４は、一対の耐火ボード１４Ａどうしを間柱１４Ｂを間に挟んで一体化した二重壁構造であり、耐火パネル８を保持している前述した取付金物７とは別部材の一対の鋼鉄製の角パイプ材からなる取付金物７Ａのそれぞれの側面に個別に取り付けられている。
耐火パネル８は、戸境壁１４と交差する位置で両側に２つに分割され、これらの対向する端面間には０．５〜１ｍｍの微小な隙間Ｓが形成されていて、これらの耐火パネル８の対向端面近傍は、前記一対の取付金物７Ａのそれぞれに個別に取り付けられている。微小な隙間Ｓは振動の伝播を遮断するものであり、振動媒体を不連続とするものであり、可能な限り小さくするの耐火の観点からは望ましい。
【００１８】
この微小な隙間Ｓを設けたことで、戸境壁１４で隔てられた一方の部屋の音や振動が、耐火パネル８を伝わって他方に伝達されることを防いでいる。さらに、遮音性を高めるために、一対の取付金物７Ａの間に、ロックウール９Ａが充填されている。
耐火パネル８の外側に配置されている耐火パネル５及び外装パネル６のそれぞれについても、戸境壁１４を両側でそれぞれ個別に分割して設けられている。
【００１９】
＜施工手順＞
本発明の耐火壁構造１の施工手順を図３〜図６に基づいて説明する。
なお、以下の施工手順は本発明の耐火壁を構築するための一例であり、他の施工手順を採用することは可能である。
図３に示すように、構造物躯体の開口部Ｏにその外側から外枠３を組み付け、その４辺を、開口部Ｏの内周にアンカーＡとモルタルＭによって固定し、開口部Ｏに取付金物７と取付金物７Ａをそれぞれ固定し、取付金物７は、耐火パネル８を設置する範囲の外周部に、取付金物７Ａは、開口部Ｏの戸境壁が設置される位置に配置する。
【００２０】
取付金物７は、開口部Ｏの上下幅に適合するＬ字形の枠状のものを一対用い、躯体２の開口部Ｏ上下の辺の内側の縁にそれぞれ固定する。一方、取付金物７Ａは、図示しない躯体床面から躯体天井面に至る上下寸法に相当する長さの鋼製角パイプであり、開口部Ｏの戸境壁の設置される位置に２本並べて開口部Ｏの上下位置で躯体２の内壁面に固定する。
【００２１】
図４及び図５に示すように、２枚の耐火パネル８を開口部Ｏの内側左右方向より、取付金物７Ａと取付金物７の間に設置し、取付金物７Ａと取付金物７の両方に、これらの耐火パネル８の対向端面間に微小な隙間Ｓを設けて、ねじ等の固定手段で固定し、開口部Ｏの耐火パネル８を設けていない左右両側の部分に、一対の窓サッシ１５をそれぞれ取り付け、一対の耐火パネル８の外側に、開口部Ｏの外側から耐火パネル５を保持したサッシ枠４を外枠３に組み込んで固定する。
【００２２】
この際、図５に示すように、内側の耐火パネル８と外側の耐火パネル５との間に形成されている空間にロックウール９を充填する。また、サッシ枠４には、耐火パネル５の外側に外装パネル６が取り付けられ、開口部Ｏに対して戸境壁１４がＴ字状に交差するように設置する。戸境壁１４は、一対の耐火ボード１４Ａ間の間柱１４Ｂの一面を、一対の取付金物７Ａのそれぞれの対向する面と当接させた状態で、それぞれの耐火ボード１４Ａの端部内面側を対向する取付金物７Ａの各側面に取り付ける。これらの取付金物７Ａに戸境壁１４を取り付ける前に、取付金物７Ａの間にロックウール９Ａを充填しておく。
【００２３】
次に、図６に示すように、窓サッシ１５の内側にサッシ額縁１６を取り付けるとともに、躯体２の内側壁面に硬質ウレタン樹脂を吹き付けて硬質ウレタン樹脂層１０を形成し、硬質ウレタン樹脂層１０の内側に、複数の内装下地材１１を設置した後、これらの上に内装ボード１２を張り付けて完成となる。
【００２４】
図７は、本発明の耐火壁構造の実施例２の水平部分断面図である。同図に示す耐火壁構造１Ａは、戸境壁１４の端部と、一対の耐火パネル８のそれぞれを、チャンネル形鋼を取付金物７Ｂとして対向させて取り付けたものである。取付金物７Ｂは、前述の実施例の取付金物７Ａと同様に、躯体床面から躯体天井面に至る上下寸法に相当する長さであり、躯体開口部の戸境壁が設置される位置で躯体内壁面に固定してある。
この実施例は、前述した一対の取付金物７Ａを一つの取付金物７Ｂに置換して構造を簡素化したものである。
【００２５】
取付金物７Ｂは、開口側を室内側に向けて設置してあり、その左右両側面には戸境壁１４を構成する耐火ボード１４Ａの端部内面がそれぞれ取り付けられている。前記開口側と反対側の平坦面に一対の耐火パネル８のそれぞれの端部が固定してあり、耐火パネル８の対向する端面間には微小な隙間Ｓを設けてある。
さらに、耐火性や断熱性ならびに遮音性を向上するために、ロックウール９Ｂを取付金物７Ｂの開口端からその内部に一部入り込ませて一対の耐火ボード１４Ａの間に充填してある。なお、その他の部分は、前述の実施例と同じ構造である。
【００２６】
図８は、本発明の耐火壁構造の実施例３の水平部分断面図である。同図に示す耐火壁構造１Ｂは、一対のチャンネル形鋼を用いた取付金物７Ｃどうしを、その開口側どうしを隙間Ｓを空けて向かい合わせて配置し、幅広のチャンネル形鋼の取付金物７Ｄを、これら一対の取付金物７Ｃに開口側を反対側に向けて配置したものである。
【００２７】
一対の取付金物７Ｃは、取付金物７Ｄと反対側の側面に一対の耐火パネル８のそれぞれが固定される。また、それぞれの取付金物７Ｃの開口側とは反対側の平坦な面と、取付金物７Ｄの両側面とは、段差無く同一面に揃えられ、これらの面には、それぞれ一対の耐火ボード１４Ａの端部内面が当接されて固定されている。
【００２８】
また、耐火性、断熱性、ならびに遮音性を高めるために、一対の取付金物７Ｃの対向する開口端の間にはロックウール９Ｃが充填されている。
【００２９】
本発明の耐火壁構造において、第２の壁パネルならびに戸境壁を保持する取付金物は、前述した実施例において用いられている各取付金物７、７Ａ、７Ｃ、７Ｄの構造に限定するものではなく、躯体開口部に固定されて第２の壁パネルと戸境壁を躯体に保持でき、少なくとも１時間の耐火性能を有する鋼鉄製のものであればよい。
【００３０】
また、前述した実施例１〜３においては、第２の壁パネルの耐火パネル８は、ケイ酸カルシウム板であるが、第２の壁パネル材は、ケイ酸カルシウム板に限定されるものではなく、必要とされる耐火性能や強度を備えた耐火材料を用いて製作されたものであればよい。
【産業上の利用可能性】
【００３１】
本発明の耐火壁構造は、ＳＩ住宅の他、ＳＩ工法により建設される様々な用途のビルの壁構造として広く利用可能であり、戸境壁を移設または撤去するとともに、第１、第２の壁パネル及び周辺の取付金物等を撤去し、間取を変更することができる。間取変更のプランによってはサッシを交換する場合もある。また、隣接する住戸を合体させてより大きな住戸とすることも可能である。
【符号の説明】
【００３２】
１、１Ａ、１Ｂ                耐火壁
２                            躯体
２Ａ                          梁
２Ｂ                          躯体床面
２Ｃ                          凸壁
２Ｄ                          支柱
２Ｅ                          躯体天井面
３                            外枠
４                            サッシ枠（内枠）
５                            耐火パネル（第１の壁パネル）
６                            外装パネル
７、７Ａ、７Ｂ、７Ｃ、７Ｄ    取付金物
８                            耐火パネル（第２の壁パネル）
９、９Ａ、９Ｂ、９Ｃ、９Ｄ    ロックウール
１０                          硬質ウレタン樹脂層
１１                          内装下地材
１２                          石膏ボード
１３                          屋内天井
１４                          戸境壁
１４Ａ                        耐火ボード
１４Ｂ                        間柱
１５                          窓サッシ
１６                          サッシ額縁
Ｆ                            室内床
Ｍ                            モルタル
Ｓ                            微小隙間
Ｏ                            開口部
【図１】
0005216117.tif 000002
【図２】
0005216117.tif 000003
【図３】
0005216117.tif 000004
【図４】
0005216117.tif 000005
【図５】
0005216117.tif 000006
【図６】
0005216117.tif 000007
【図７】
0005216117.tif 000008
【図８】
0005216117.tif 000009